(57)【要約】      （修正有）【課題】乳児の後頭部が枕の中央部に設けられた窪みの中に無理なく載置されるように構成されているので、乳児の頭の変形防止に対応することができ、また、たびたび乳児の寝姿勢を修正したりする必要がない安定した睡眠が得られる乳児用ドーナツ型枕を提供する。【解決手段】表裏側地の周縁部を一体化し、内部に詰物を封じ円盤状とした袋体に、頭部を受けるため詰物量の少ない円形の窪み部を表裏側地を一体化して設けてなるドーナツ型枕において、平面視、窪み部の両側に位置する袋体の、前記周縁部を弧状に切り込み、該切り込み部は、窪み部周縁と窪み部周縁部に最も近い切込部周縁部との長さｒを、前記窪み部周縁部と窪み部周縁部に最も近いドーナツ型枕の周縁部との間の長さＲと同等、若しくは近似した長さとするようにした。【選択図】図１
0003182227.tif 000002
【実用新案登録請求の範囲】
【請求項１】
表裏側地の周縁部を一体化し、内部に詰物を封じ円盤状とした袋体に、頭部を受けるため詰物量の少ない円形の窪み部を表裏側地を一体化して設けてなるドーナツ型枕において、平面視、窪み部の両側に位置する袋体の、前記周縁部を弧状に切り込み、該切り込み部は、窪み部周縁と窪み部周縁部に最も近い切込部周縁部との長さｒを、前記窪み部周縁部と窪み部周縁部に最も近いドーナツ型枕の周縁部との間の長さＲと同等、若しくは近似した長さとするようにしたことを特徴とする乳児用ドーナツ型枕。 
【考案の詳細な説明】
【技術分野】
【０００１】
本考案は、生後間もない新生児から、頭骨の形成が充分に行われるまでの乳児が使用することが好ましい、乳児用ドーナツ型枕に関する。
【背景技術】
【０００２】
近年、乳児用枕として、中央部に窪みを設け、該窪みで乳児の後頭部を支持し、後頭部の扁平化を防止する機能を有するドーナツ型枕が多く使用されている。身体が未成熟であり、生理的変化が激しく、発汗量のきわめて多い乳児の生理的変化に対応し、よりよい睡眠環境を得ることのできる寝具の一つとして、乳児の後頭部の発育を阻害せず、しかも、よりよい睡眠環境を導き出す発汗性能に優れたドーナツ型枕について、本出願人は実用新案登録出願を行い、実用新案登録がなされた。（特許文献１参照）
【先行技術文献】
【特許文献】
【０００３】
【特許文献１】実用新案登録第３１１０７０９号公報
【考案の概要】
【考案が解決しようとする課題】
【０００４】
一般的に新生児の頭蓋骨は柔らかく、生後４カ月位から徐々に落ち着き、３歳位である程度、成人と同じ状態になる。近年、新生児の後頭部が扁平になるのを防止するためにドーナツ型枕を使用することが推奨されている。従来の乳児用ドーナツ型枕は、乳児が主に仰向けに寝ることを想定して作られているため、乳児の肩口から後頭部の窪みの位置は、仰向け寝に合わせた位置となっている。
乳児にドーナツ型枕を使用した場合、乳児が上向きの姿勢を保っている場合は、後頭部は、該枕の下方に設定された窪みの中に支持され、後頭部の扁平化を防ぐことができるが、乳児によっては、就寝中の動きによって身体の位置が窪みを中心にして移動する場合もある。乳児は、母親の居る方向を自然に向きがちであるが、乳幼児を寝かすサークルベッドやベビー寝具の位置を頻繁に変えられないため、向き癖により同一方向を向き続けると、乳幼児は頭蓋骨が柔らかいため頭の形が少しいびつになる恐れがある。
この場合、同一方向を向き続ける向き癖に対して、ドーナツ型枕に設けられた窪みによる窪み周辺の枕本体の高低差を利用し、片側だけを向かないように矯正し、乳幼児の斜頸治療及び、又はその防止のため効果のあることが知られている。
【０００５】
上記の矯正のためのドーナツ型枕の使用方法について図１Ａ，Ｂ，Ｃを用いて説明する。
図１Ａは、ドーナツ型枕を使用した通常の寝姿勢の乳幼児頭部を示し、図１Ｂは、左ばかり向く癖を有する寝姿勢の乳幼児頭部を示し、図１Ｃは、右ばかり向く癖を有する寝姿勢の乳幼児頭部を示す。片側方向に向き癖がついた乳幼児の場合、片側の側頭部の形だけがやや平らに変形しやすくなる。このような場合、向き癖に対し反対方向の側頭部を作為的に下向き方向にして寝かせることにより、頭の形の補正が可能となる。向き癖の多い乳幼児の場合、従来のドーナツ型枕では、ドーナツ型枕の中心点を軸に回転させ、片側が高くなるように置き、枕の高い方向に顔を向けた寝姿勢で寝かせることである程度頭が固定されるので、このような使い方がされてきた。
【０００６】
しかしながら、従来のドーナツ型枕の場合、枕の向き癖の補正のためドーナツ型枕
を中心点を軸に回転させ、窪み部が、向き癖のある乳児の頭部の左右に位置するようにし、片側が高くなるように使用した場合、乳幼児の首筋部から枕の丸い窪みまでの長さが長くなるため、乳幼児に適した寝姿勢が維持できない問題点があった。
【０００７】
本考案は、乳幼児の向き癖を補正するためにドーナツ型枕を使用した場合等に発生する、側頭部からドーナツ型枕の丸い窪み迄の長さを適正な長さに近づけることを可能にした乳幼児用ドーナツ型枕を提供することを目的とする。
【課題を解決するための手段】
【０００８】
請求項１記載の考案は、表裏側地の周縁部を一体化し、内部に詰物を封じ円盤状とした袋体に、頭部を受けるため詰物量の少ない円形の窪み部を表裏側地を一体化して設けてなるドーナツ型枕において、平面視、窪み部の両側に位置する袋体の、前記周縁部を弧状に切り込み、該切り込み部は、窪み部周縁と窪み部周縁部に最も近い切込部周縁部との長さｒを、前記窪み部周縁部と窪み部周縁部に最も近いドーナツ型枕の周縁部との間の長さＲと同等、若しくは近似した長さとするようにした。
【考案の効果】
【０００９】
本考案による乳児用改良ドーナツ型枕は、使用する際に、乳児の後頭部が枕の中央部に設けられた窪みの中に無理なく載置されるように構成されているので、乳児の頭の変形防止に対応することができ、しかもたびたび乳児の寝姿勢を修正したりする必要がないので乳児は安定した睡眠が得られる。
【図面の簡単な説明】
【００１０】
【図１】乳児の寝姿勢矯正を説明するための図で、Ａは正常の、Ｂは右に向く傾向のある児の、Ｃは左を向く傾向のある児の寝姿勢を示す。
【図２】本考案による第一のドーナツ枕の平面図である。
【図３】本考案による第二のドーナツ枕の平面図である。
【図４】図３のIV−IV線における切断面図である。
【考案を実施するための形態】
【００１１】
図１は、上記したように従来の乳児用ドーナツ型枕を乳児の寝姿勢矯正のために使用する場合の問題点についての説明図であり、従来のドーナツ型枕の場合、表側地と裏側地とは詰物封入量の加減によって平行とはならず、頭頂部に近い部位に厚味が有り、首筋から肩部にかけては厚みが少なくなっている。
そのため乳児が顔の向きを右或は左の所定方向に常に向けるような癖をなくすために、常に向こうとする側の枕の詰物の厚味を厚くし、顔が自然と詰物の厚味の少ない方向に向くように仕掛けるため、枕の向き癖の補正のため枕の中心点に軸を置き枕を回転させ、片側が高くなるように使用した場合、乳幼児の首筋部から枕の丸い窪みまでの長さが長くなるため、乳幼児に適した寝姿勢が維持できない問題点を示している。
【００１２】
本考案乳児用のドーナツ型枕１を図面と共に次に説明する。
図２は、本考案の乳児用ドーナツ型枕１の第１の例を示す平面図である。ドーナツ型枕１は、表側地２と裏側地３の周縁部４をテープ地５等で被って、その上を縫着６して袋体を構成し中に詰物７を封入する。ドーナツ型枕１は、図２，図３に示すように、乳児の後頭部を載置する丸い窪み部８を有する略丸型に構成される。窪み部８は重ねた表裏の生地２の適所を円形に縫着９し、円形に縫着した部分には詰物を封入せず、前記縫着９した部位の外周部には詰物７を封入することにより、上記詰物７を封入しない部位を窪み部８とし頭部を支える働きをさせている。窪み部８を設置する位置としては、本考案のドーナツ型枕１の平面視中央位置から枕使用時の乳児の肩側に近い位置にする。
円形の窪み部８の縫着線９からドーナツ型枕１の周縁部４まで最短長さをＲとする。  図３に示す本考案の第２の実施例においては、ドーナツ型枕１の窪み部８の左右両側の周縁部４に、枕周縁部４から窪み部８の周縁の縫着線９に至る長さが乳児の肩より後頭部までの長さに近い長さｒを有する周縁切り込み部１０、１０を設けたことを特徴とする。このような切り込み部１０，１０を設けたことにより、上記した、乳幼児の向き癖の矯正のために枕を回転させて使用しても、枕周縁部４から窪み部８の周縁の縫着線９に至る長さが乳児の肩より後頭部までの長さに近い長さｒとすることができる。
前記長さＲ，ｒの選択は、窪み部８の大きさ、切り込み部１０の切込量を変更することによって適宜に行うことが出来る。
【００１３】
本考案においては、更に、通常の乳児の頭の向きの変化、体位の変化によっても、乳児後頭部が窪み部８の中に安定して載置、保持されるように、窪み部８の周縁の縫着線９に至る長さが乳児の肩より後頭部までの長さに近い長さｒを有する周縁切り込み部１０，１０を枕周縁部４において、左右下方に設ける事が出来る。
【００１４】
上記したように、乳児は常に一定の姿勢を保ってはいず、寝癖や身体の移動に伴って、頭の向きは様々に変わる。本考案の乳児用ドーナツ型枕においては、ドーナツ型枕１の周縁部４において、枕使用時の肩側に近い位置に乳児の肩より後頭部までの長さｒを有する切り込み部１０、１０及び必要に応じて切り込み部１０、切り込み部１０，１０を設けたことによって、乳児の頭の向き、及び寝姿勢の変化に対応して、乳児頭部を安定した状態に維持することができる。
【００１５】
本考案の乳児用ドーナツ型枕は、その形状に特徴を有するものであり、枕の素材は特に限定されることはない。表側地２の素材は、従来用いられているように、肌触りがよく、吸湿性の素材であるメリヤス地、柔らかな触感を有するキルティング地、タオル地等が好ましい。表側地２の素材は厚みのある素材を用い、裏側地は、通気性に富んだメッシュ地、編み地等を使用することができる。表側地２と裏側地３の周縁部４を縫着する際には、縁布を用いるなどして柔らかい触感が得られるようにすることが好ましい。
更に、発汗性能を高め、快適な睡眠を得るために枕本体に仕切り布を設けて、ドーナツ型枕の裏側に詰め物を使用する場合は、分割された小室内に異なる充填材、例えは、柔軟なにカットパイプ等の充填物を充填して枕を構成することも可能である。
【産業上の利用可能性】
【００１６】
本考案による乳児用ドーナツ型枕は、使用する際に、乳児の寝姿勢に応じて常に乳児の後頭部が枕の中央部に設けられた窪みの中に無理なく載置されるように構成されているので、たびたび乳児の寝姿勢を修正したりする必要がなく、安定した睡眠が得られる他、後頭部の変形も生じ難くすることができる整形上の効果を得ることを目指すことも可能である。
【符号の説明】
【００１７】
１  ドーナツ型枕
２  表側地
３  裏側地
４  周縁部
５  テープ地
６  縫着
７  詰物
８  窪み部
９  縫着
１０  切込み部
１１  袋体
【図１】
0003182227.tif 000003
【図２】
0003182227.tif 000004
【図３】
0003182227.tif 000005
【図４】
0003182227.tif 000006